(57)【要約】【課題】高圧線及び引下線の保持状態を維持できる高圧引下線支持具を提供する。【解決手段】支持具１０は、高圧線Ｗを支持すると共に、高圧線Ｗから分岐接続し、高圧線Ｗと略平行に延びる引下線Ｗｅを屈曲状態で支持できる。支持具１０は、屈曲自在な連結部１３ｈを一端部側に有し、他端部側を開閉自在に構成した一対の分割ケース１１・１２を備える。分割ケース１１は、高圧線Ｗを真直状態で支持する第１溝ｍ１と、引下線Ｗｅを部分的に真直状態で支持する第２溝ｍ２と、引下線Ｗｅが屈曲状態で延出される切り欠き部１１ｈと、を有する。分割ケース１２は、一対の分割ケース１１・１２が閉じた状態で、高圧線Ｗを第１溝ｍ１の底面に押圧すると共に、引下線Ｗｅを第２溝ｍ２の底面に押圧する第１押し付け部材１２１を有する。【選択図】図１
2015082905.tif 000002
【特許請求の範囲】
【請求項１】
高圧配電線を支持すると共に、前記高圧配電線から分岐接続し、当該高圧配電線と略平行に延びる高圧引下線を屈曲状態で支持する高圧引下線支持具であって、
屈曲自在な連結部を一端部側に有し、他端部側を開閉自在に構成した一対の分割ケースを備え、
一方の前記分割ケースは、
一方の側面から他方の側面に向けて貫通し、前記高圧配電線をその外周方向から密着する第１内壁を設けて、当該高圧配電線を真直状態で支持する第１溝と、
一方の側面から中央部に向けて貫通し、前記高圧引下線をその外周方向から密着する第２内壁を設けて、前記高圧配電線と略平行に、前記高圧引下線を前記中央部まで支持する第２溝と、
前記連結部と反対の他端部側に切り欠かれ、前記高圧引下線が屈曲状態で延出される切り欠き部と、を有し、
他方の前記分割ケースは、
一対の前記分割ケースが閉じた状態で、前記高圧配電線を前記第１溝の底面に押圧すると共に、前記高圧引下線を前記第２溝の底面に押圧する第１押し付け部材を有する、高圧引下線支持具。
【請求項２】
一方の前記分割ケースは、他方の側面から中央部に向けて貫通し、前記高圧引下線をその外周方向から密着する第３内壁を設けて、前記高圧配電線と略平行に、前記高圧引下線を前記中央部まで支持する第３溝を有し、
他方の前記分割ケースは、一対の前記分割ケースが閉じた状態で、前記高圧配電線を前記第１溝の底面に押圧すると共に、前記高圧引下線を前記第３溝の底面に押圧する第２押し付け部材を有する、請求項１記載の高圧引下線支持具。
【請求項３】
一方の前記分割ケースは、その底面から起立し、前記高圧引下線の屈曲部の内側に当接可能な一つ以上の円筒状の緩衝部材を更に備える請求項１又は２記載の高圧引下線支持具。
【請求項４】
前記第１溝は、
底面から起立すると共に、一方の側面から他方の側面に向けて延びる第１帯板部材と、
底面から起立すると共に、一方の側面から他方の側面に向けて、前記第１帯板部材と平行に延びる第２帯板部材で構成し、
前記第２溝は、
底面から起立すると共に、一方の側面から中央部に向けて、前記第２帯板部材と平行に延びる第３帯板部材と、前記第２帯板部材で構成している請求項１記載の高圧引下線支持具。
【請求項５】
前記第１溝は、
底面から起立すると共に、一方の側面から他方の側面に向けて延びる第１帯板部材と、
底面から起立すると共に、一方の側面から他方の側面に向けて、前記第１帯板部材と平行に延びる第２帯板部材で構成し、
前記第３溝は、
底面から起立すると共に、他方の側面から中央部に向けて、前記第２帯板部材と平行に延びる第４帯板部材と、前記第２帯板部材で構成している請求項２記載の高圧引下線支持具。
【請求項６】
一方の前記分割ケースは、その他端部側に突出し、係合穴を開口した一つ以上の鍔状のラッチ片を備え、
他方の前記分割ケースは、前記ラッチ片に向かって突出し、一対の前記分割ケースを閉じた状態で、前記係合穴に係止可能な鉤状のロックアームを他端部側に備えている請求項１から５のいずれかに記載の高圧引下線支持具。
【発明の詳細な説明】
【技術分野】
【０００１】
本発明は、高圧引下線支持具に関する。特に、電柱の上部に架設された高圧配電線を支持すると共に、高圧配電線から分岐接続した高圧引下線を屈曲状態で支持する高圧引下線支持具であって、間接活線工事に好適な高圧引下線支持具の構造に関する。
【背景技術】
【０００２】
図７は、従来技術による装柱状態を示す斜視図である。図７を参照すると、電柱Ｐは、腕金Ａを上部に支持している。腕金Ａは、ピン碍子Ｐｉを固定している。ピン碍子Ｐｉは、バインド線Ｂを介して、高圧配電線（以下、高圧線と略称する）Ｗを支持している。
【０００３】
図７を参照すると、ピン碍子Ｐｉの近傍には、絶縁カバーで覆われた引留クランプＣを配置している。引留クランプＣは、高圧線Ｗ及び高圧引下線（以下、引下線という）Ｗｅを延出している。引留クランプＣは、その内部で引下線Ｗｅが高圧線Ｗと分岐接続している。引下線Ｗｅは、支持碍子（図示せず）に繋留された後に、その端末が図示しない変圧器などの柱上電気機器に接続している。
【０００４】
図７を参照すると、引留クランプＣから延出した引下線Ｗｅは、支持碍子（図示せず）に直接向かうことなく、高圧線Ｗに一度巻き付けてから、支持碍子を経て柱上電気機器に接続している。引下線Ｗｅを高圧線Ｗに一度巻き付けることで、自重及び風圧に起因する引下線Ｗｅの張力が引留クランプＣに直接、作用することを防止している。
【０００５】
しかし、上述した引下線Ｗｅの巻き付け作業は、絶縁手袋などを使用する直接活線工事では、作業員の安全性の確保が容易でなかった。このため、一対の開閉腕を先端部に有する絶縁操作棒（いわゆる、絶縁ヤットコ）などを用いる間接活線工事により、引下線Ｗｅを高圧線Ｗに巻き付けている。間接活線工事で電気工事することにより、高圧線Ｗが通電中であっても、作業員の安全を確保できる。
【０００６】
一方、間接活線工事に用いる絶縁操作棒は、引下線Ｗｅの巻き付け作業に適した先端工具が実在していないのが現状である。したがって、絶縁ヤットコなどを用いて、引下線Ｗｅの巻き付け作業を実施しているが、熟練した作業員であっても、相当の作業時間を要するという、不具合があった。
【０００７】
こうした不具合を解消するため、高圧線から分岐接続した高圧引下線を高圧線に一度巻き付ける必要が無く、高圧引下線を高圧線に支持する、間接活線工事用の箱状の高圧引下線支持具が開示されている（例えば、特許文献１参照）。
【０００８】
特許文献１による高圧引下線支持具は、屈曲自在な連結部を一端部側に有し、他端部側を開閉自在に構成した一対の分割ケースを備え、これらの分割ケースは、一対の分割ケースを閉じた状態で、高圧線が両側面を縦断するように、高圧線の外周を挟持する半円弧状の第１切り欠き穴と、一対の分割ケースを閉じた状態で、高圧引下線が両側面を縦断するように、高圧引下線の外周を挟持する半円弧状の第２切り欠き穴と、を有し、一方の分割ケースは、導出される高圧引下線が略直角に屈曲されるように、高圧引下線を保持するバインド線を有している。
【０００９】
特許文献１による高圧引下線支持具は、一対の分割ケースの他端部側から突出した把持片を絶縁ヤットコで把持して容易に作業できる、としている。
【００１０】
又、上述した不具合を解消するため、高圧線から分岐接続した高圧引下線を高圧線に一度巻き付ける必要が無く、高圧引下線を高圧線に支持する、間接活線工事用のクリップ状の高圧引下線支持具が開示されている（例えば、特許文献２参照）。
【００１１】
特許文献２による高圧引下線支持具は、基端部を連結し、先端部に向かって対向するように延びると共に、先端部が開いた一対の帯状の弾性部材を備え、これらの弾性部材は、基端部側の内壁に形成され、高圧引下線をその外周方向から挟持可能な第１窪み部と、先端部側の内壁に形成され、高圧線をその外周方向から挟持可能な第２窪み部と、を有している。
【００１２】
特許文献２による高圧引下線支持具は、基端部を絶縁ヤットコで把持して、高圧引下線に向かって一対の弾性部材を移動すると、高圧引下線を第１窪み部に容易に保持でき、更に、高圧線に向かって一対の弾性部材を移動すると、高圧線を第２窪み部に容易に保持できる、としている。
【先行技術文献】
【特許文献】
【００１３】
【特許文献１】特開２０１０−１４８２５５号公報
【特許文献２】特開２０１０−２４６３０８号公報
【発明の概要】
【発明が解決しようとする課題】
【００１４】
特許文献１による高圧引下線支持具は、高圧線から分岐接続した高圧引下線を高圧線に一度巻き付ける必要が無い。しかし、特許文献１による高圧引下線支持具は、高圧引下線支持具から導出した高圧引下線が風圧を受けて振動を繰り返すと、高圧引下線支持具の高圧引下線出口において、高圧引下線の屈曲部に負荷が掛かり、金属疲労により高圧引下線が断線する心配がある。高圧引下線の振動を緩和できる、間接活線工事用の高圧引下線支持具が求められている。
【００１５】
同様に、特許文献２による高圧引下線支持具は、高圧線から分岐接続した高圧引下線を高圧線に一度巻き付ける必要が無い。しかし、特許文献２による高圧引下線支持具は、一対の弾性部材が上向きに開口しており、一対の弾性部材の弾性力が経年変化で劣化すると、高圧引下線を把持した状態で、高圧線から脱落する心配がある。高圧線から容易に脱落しない、間接活線工事用の高圧引下線支持具が求められている。そして、以上のことが本発明の課題といってよい。
【００１６】
本発明は、このような課題に鑑みてなされたものであり、高圧線から分岐接続した高圧引下線を高圧線に巻き付けることなく、高圧引下線の振動を緩和できると共に、高圧線から容易に脱落しない、間接活線工事用の高圧引下線支持具を提供することを目的とする。
【課題を解決するための手段】
【００１７】
本発明者らは、屈曲自在な連結部を一端部側に有し、他端部側を開閉自在に構成した一対の分割ケースで高圧引下線支持具を構成し、一方の分割ケースには、一方の側面から他方の側面に向けて、高圧線を真直状態で支持する第１溝と、一方、又は他方のいずれか一方の側面から導入された高圧引下線を略直角に屈曲した状態で支持する第２溝と、を設け、絶縁操作棒を用いて、一方の分割ケースに対して他方の分割ケースを閉じることで、高圧線及び高圧引下線を挟んで保持状態を維持できることを見出し、これに基づいて、以下のような新たな間接活線工事用の高圧引下線支持具を発明するに至った。
【００１８】
（１）本発明による高圧引下線支持具は、高圧配電線を支持すると共に、前記高圧配電線から分岐接続し、当該高圧配電線と略平行に延びる高圧引下線を屈曲状態で支持する高圧引下線支持具であって、屈曲自在な連結部を一端部側に有し、他端部側を開閉自在に構成した一対の分割ケースを備え、一方の前記分割ケースは、一方の側面から他方の側面に向けて貫通し、前記高圧配電線をその外周方向から密着する第１内壁を設けて、当該高圧配電線を真直状態で支持する第１溝と、一方の側面から中央部に向けて貫通し、前記高圧引下線をその外周方向から密着する第２内壁を設けて、前記高圧配電線と略平行に、前記高圧引下線を前記中央部まで支持する第２溝と、前記連結部と反対の他端部側に切り欠かれ、前記高圧引下線が屈曲状態で延出される切り欠き部と、を有し、他方の前記分割ケースは、一対の前記分割ケースが閉じた状態で、前記高圧配電線を前記第１溝の底面に押圧すると共に、前記高圧引下線を前記第２溝の底面に押圧する第１押し付け部材を有する。
【００１９】
（２）一方の前記分割ケースは、他方の側面から中央部に向けて貫通し、前記高圧引下線をその外周方向から密着する第３内壁を設けて、前記高圧配電線と略平行に、前記高圧引下線を前記中央部まで支持する第３溝を有し、他方の前記分割ケースは、一対の前記分割ケースが閉じた状態で、前記高圧配電線を前記第１溝の底面に押圧すると共に、前記高圧引下線を前記第３溝の底面に押圧する第２押し付け部材を有することが好ましい。
【００２０】
（３）一方の前記分割ケースは、その底面から起立し、前記高圧引下線の屈曲部の内側に当接可能な一つ以上の円筒状の緩衝部材を更に備えることが好ましい。
【００２１】
（４）前記第１溝は、底面から起立すると共に、一方の側面から他方の側面に向けて延びる第１帯板部材と、底面から起立すると共に、一方の側面から他方の側面に向けて、前記第１帯板部材と平行に延びる第２帯板部材で構成し、前記第２溝は、底面から起立すると共に、一方の側面から中央部に向けて、前記第２帯板部材と平行に延びる第３帯板部材と、前記第２帯板部材で構成していることが好ましい。
【００２２】
（５）前記第１溝は、底面から起立すると共に、一方の側面から他方の側面に向けて延びる第１帯板部材と、底面から起立すると共に、一方の側面から他方の側面に向けて、前記第１帯板部材と平行に延びる第２帯板部材で構成し、前記第３溝は、底面から起立すると共に、他方の側面から中央部に向けて、前記第２帯板部材と平行に延びる第４帯板部材と、前記第２帯板部材で構成していることが好ましい。
【００２３】
（６）一方の前記分割ケースは、その他端部側に突出し、係合穴を開口した一つ以上の鍔状のラッチ片を備え、他方の前記分割ケースは、前記ラッチ片に向かって突出し、一対の前記分割ケースを閉じた状態で、前記係合穴に係止可能な鉤状のロックアームを他端部側に備えていることが好ましい。
【発明の効果】
【００２４】
本発明による高圧引下線支持具は、屈曲自在な連結部を一端部側に有し、他端部側を開閉自在に構成した一対の分割ケースで高圧引下線支持具を構成し、一方の分割ケースには、一方の側面から他方の側面に向けて、高圧線を真直状態で支持する第１溝と、一方、又は他方のいずれか一方の側面から導入された高圧引下線を略直角に屈曲した状態で支持する第２溝と、を設け、絶縁操作棒を用いて、一方の分割ケースに対して他方の分割ケースを閉じることで、高圧引下線を高圧線に巻き付けることなく、高圧線及び高圧引下線を挟んで保持状態を維持できる。
【図面の簡単な説明】
【００２５】
【図１】本発明の一実施形態による高圧引下線支持具の構成を示す斜視図であり、一対の分割ケースを開いた状態図である。
【図２】前記実施形態による高圧引下線支持具の構成を示す正面図であり、一対の分割ケースを開いた状態で、一方の分割ケースを正面側から観ている。
【図３】前記実施形態による高圧引下線支持具の構成を示す左側面図であり、所定の開角を設けて、一対の分割ケースを開いた状態図である。
【図４】前記実施形態による高圧引下線支持具の構成を示す図であり、図４（Ａ）は、高圧引下線支持具の正面図、図４（Ｂ）は、高圧引下線支持具の左側面図である。
【図５】前記実施形態による高圧引下線支持具の構成を示す下面図である。
【図６】前記実施形態による高圧引下線支持具の構成を示す図であり、図６（Ａ）一対の分割ケースを開いた状態で、一方の分割ケースを正面側から観た正面図であり、図６（Ｂ）は、一対の分割ケースを閉じた状態の高圧引下線支持具の右側面図である。
【図７】従来技術による装柱状態を示す斜視図である。
【発明を実施するための形態】
【００２６】
以下、図面を参照して本発明を実施するための形態を説明する。
［高圧引下線支持具の構成］
最初に、本発明の一実施形態による高圧引下線支持具の構成を説明する。図１は、本発明の一実施形態による高圧引下線支持具の構成を示す斜視図であり、一対の分割ケースを開いた状態図である。
【００２７】
図２は、前記実施形態による高圧引下線支持具の構成を示す正面図であり、一対の分割ケースを開いた状態で、一方の分割ケースを正面側から観ている。図３は、前記実施形態による高圧引下線支持具の構成を示す左側面図であり、所定の開角を設けて、一対の分割ケースを開いた状態図である。
【００２８】
図４は、前記実施形態による高圧引下線支持具の構成を示す図であり、図４（Ａ）は、高圧引下線支持具の正面図、図４（Ｂ）は、高圧引下線支持具の左側面図である。図５は、前記実施形態による高圧引下線支持具の構成を示す下面図である。
【００２９】
図６は、前記実施形態による高圧引下線支持具の構成を示す図であり、図６（Ａ）一対の分割ケースを開いた状態で、一方の分割ケースを正面側から観た正面図であり、図６（Ｂ）は、一対の分割ケースを閉じた状態の高圧引下線支持具の右側面図である。なお、従来技術で使用した符号と同じ符号は、その作用を同一にするので、以下の説明では割愛することがある。
【００３０】
（全体構成）
図１から図６を参照すると、本発明の一実施形態による高圧引下線支持具（以下、支持具と略称する）１０は、直方体状に形成された一対の分割ケース１１・１２で構成している。一対の分割ケース１１・１２は、屈曲自在に連結した連結部１３ｈを一端部側に備えている。そして、一対の分割ケース１１・１２は、それらの他端部側を開閉できる。一対の分割ケース１１・１２は、絶縁性を有する合成樹脂で一体成形することが好ましい。
【００３１】
図１又は図２を参照すると、支持具１０は、一対の分割ケース１１・１２を閉じることで、高圧線Ｗを挟んで真直状態で支持できる。又、支持具１０は、一対の分割ケース１１・１２を閉じることで、高圧線Ｗと略平行に延びる引下線Ｗｅを挟んで屈曲状態で支持できる。
【００３２】
図１から図６を参照すると、一方の分割ケース１１は、その他端部側に突出した一組の鍔状のラッチ片１１ｓ・１１ｓを備えている。他方の分割ケース１２は、一組のラッチ片１１ｓ・１１ｓに向かって突出した、一組の鉤状のロックアーム１２ｒ・１２ｒを他端部側に備えている。ロックアーム１２ｒをラッチ片１１ｓに設けた開口１１ｋに挿入することで、分割された一対の分割ケース１１・１２をロックでき、一対の分割ケース１１・１２を袋状に閉じることができる。
【００３３】
図１から図６を参照すると、一方の分割ケース１１は、その他端部側に突出した鍔状の把持片１０ｓを更に備えている。先端部に把持工具を有する絶縁操作棒（図示せず）を用いて、把持片１０ｓを把持できる。そして、この絶縁操作棒を用いて、高所に配置された高圧線Ｗ及び引下線Ｗｅに向かって（図７参照）、支持具１０を移動できる。又、先端部に把持工具を有する別の絶縁操作棒（図示せず）を用いて、一対の分割ケース１１・１２を閉じることができる。
【００３４】
図１から図６を参照すると、支持具１０は、一対の分割ケース１１・１２の一方の側面１４ｆから僅かに突出した電線入口筒部１４を有している。又、支持具１０は、一対の分割ケース１１・１２の他方の側面１５ｆから僅かに突出した電線出口筒部１５を有している。更に、支持具１０は、連結部１３ｈと反対の他端部側に切り欠かれた切り欠き部１１ｈを形成している。
【００３５】
図１から図６を参照すると、電線入口筒部１４は、高圧線Ｗが挿通する第１電線挿通開口１４１を開口しており（図１又は図２参照）、電線入口筒部１４から高圧線Ｗを引き込むことができる。又、電線入口筒部１４は、引下線Ｗｅが挿通する第２電線挿通開口１４２を開口しており（図１又は図２参照）、電線入口筒部１４から引下線Ｗｅを引き込むことができる。そして、支持具１０の内部で屈曲した引下線Ｗｅを切り欠き部１１ｈから引き出すことができる（図２参照）。
【００３６】
図１から図６を参照すると、電線出口筒部１５は、高圧線Ｗが挿通する第３電線挿通開口１５１を開口しており（図１又は図２参照）、電線出口筒部１５から高圧線Ｗを引き出すことができる。又、電線出口筒部１５は、引下線Ｗｅが挿通可能な第４電線挿通開口１５２を開口しており（図１又は図６参照）、電線出口筒部１５から引下線Ｗｅを引き込むことができる。そして、支持具１０の内部で屈曲した引下線Ｗｅを切り欠き部１１ｈから引き出すことができる（図２参照）。
【００３７】
（一方の分割ケースの構成）
図１から図３及び図６を参照すると、一方の分割ケース１１は、第１帯板部材１６と第２帯板部材１７を備えている。又、一方の分割ケース１１は、第３帯板部材１８と第４帯板部材１９を備えている。第１帯板部材１６は、分割ケース１１の底面から起立すると共に、一方の側面１４ｆから他方の側面１５ｆに向けて延びている。第２帯板部材１７は、分割ケース１１の底面から起立すると共に、一方の側面１４ｆから他方の側面１５ｆに向けて、第１帯板部材１６と平行に延びている。
【００３８】
図１から図３及び図６を参照すると、第３帯板部材１８は、分割ケース１１の底面から起立すると共に、一方の側面１４ｆから中央部に向けて、第２帯板部材１７と平行に延びている。第４帯板部材９、分割ケース１１の底面から起立すると共に、他方の側面１５ｆから中央部に向けて、第２帯板部材１７と平行に延びている。
【００３９】
図１から図３及び図６を参照すると、第１帯板部材１６と第２帯板部材１７で構成される第１内壁ｋ１の間隔Ｗ１は（図６参照）、高圧線Ｗの直径Ｄと略同じになっている（図２参照）。一対の分割ケース１１・１２が開いた状態で（図１参照）、第１帯板部材１６と第２帯板部材１７の間に高圧線Ｗを挿入でき、高圧線Ｗをその外周方向から密着する第１内壁ｋ１を設けているので、高圧線Ｗを真直状態で支持できる。このように、一方の分割ケース１１は、一方の側面１４ｆから他方の側面１５ｆに向けて貫通し、高圧線Ｗをその外周方向から密着する第１内壁ｋ１を設けて、高圧線Ｗを真直状態で支持する第１溝ｍ１を備えている（図１又は図６参照）。
【００４０】
図１から図３及び図６を参照すると、第２帯板部材１７と第３帯板部材１８で構成される第２内壁ｋ２の間隔Ｗ２は（図６参照）、引下線Ｗｅの直径ｄと同じになっている（図２参照）。一対の分割ケース１１・１２が開いた状態で（図１参照）、第２帯板部材１７と第３帯板部材１８の間に引下線Ｗｅを挿入でき、引下線Ｗｅをその外周方向から密着する第２内壁ｋ２を設けているので、引下線Ｗｅを真直状態で支持できる。このように、一方の分割ケース１１は、一方の側面１４ｆから中央部に向けて貫通し、引下線Ｗｅをその外周方向から密着する第２内壁ｋ２を設けて、高圧線Ｗと略平行に、引下線Ｗｅを中央部まで支持する第２溝ｍ２を備えている（図１又は図６参照）。
【００４１】
同様に、図１から図３及び図６を参照すると、第２帯板部材１７と第４帯板部材１９で構成される第３内壁ｋ３の間隔Ｗ３は（図６参照）、引下線Ｗｅの直径ｄと同じになっている（図２参照）。一対の分割ケース１１・１２が開いた状態で（図１参照）、第２帯板部材１７と第４帯板部材１９の間に引下線Ｗｅを挿入でき、引下線Ｗｅをその外周方向から密着する第３内壁ｋ３を設けているので、引下線Ｗｅを真直状態で支持できる。このように、一方の分割ケース１１は、他方の側面１５ｆから中央部に向けて貫通し、引下線Ｗｅをその外周方向から密着する第３内壁ｋ３を設けて、高圧線Ｗと略平行に、引下線Ｗｅを中央部まで支持する第３溝ｍ３を備えている（図１又は図６参照）。
【００４２】
図１から図３及び図６を参照すると、一方の分割ケース１１は、一対の支柱部材１１ｐ・１１ｐと二つの円筒状の緩衝部材２・２を更に備えている。支柱部材１１ｐは、分割ケース１１の底面から起立している。緩衝部材２は、支柱部材１１ｐに圧入され、接着剤などで固定されている。緩衝部材２は、引下線Ｗｅの屈曲部の内側に当接できる。緩衝部材２は、ポリウレタンからなることが好ましいが、ポリウレタンに限定されない。
【００４３】
図１又は図６を参照すると、第１溝ｍ１は、一組の第１リブｒ１・ｒ１を底面に配置している。第１リブｒ１は、その上端縁が高圧線Ｗの外周に対応する円弧状に形成されている。高圧線Ｗを第１溝ｍ１に挿入すると、高圧線Ｗの上端縁が第１帯板部材１６と第２帯板部材１７の上端縁と略一致するように、第１リブｒ１は、その高さを規定している。
【００４４】
図１又は図６を参照すると、第２溝ｍ２は、第２リブｒ２を底面に配置している。第２リブｒ２は、その上端縁が引下線Ｗｅの外周に対応する円弧状に形成されている。引下線Ｗｅを第２溝ｍ２に挿入すると、引下線Ｗｅの上端縁が第３帯板部材１８の上端縁と略一致するように、第２リブｒ２は、その高さを規定している。
【００４５】
同様に、図１又は図６を参照すると、第３溝ｍ３は、第３リブｒ３を底面に配置している。第３リブｒ３は、その上端縁が引下線Ｗｅの外周に対応する円弧状に形成されている。引下線Ｗｅを第３溝ｍ３に挿入すると、引下線Ｗｅの上端縁が第４帯板部材１９の上端縁と略一致するように、第３リブｒ３は、その高さを規定している。
【００４６】
（他方の分割ケースの構成）
図１を参照すると、他方の分割ケース１２は、板状の第１押し付け部材１２１と板状の第２押し付け部材１２２を備えている。第１押し付け部材１２１は、分割ケース１２の底面から起立すると共に、分割ケース１２の他端部側から一端部側に向けて延びている。同様に、第２押し付け部材１２２は、分割ケース１２の底面から起立すると共に、分割ケース１２の他端部側から一端部側に向けて延びている。第１押し付け部材１２１と第２押し付け部材１２２は、同じものであるが説明の便宜上、順位数と符号を変えて区別した。
【００４７】
図１を参照して、一対の分割ケース１１・１２を閉じると（図４参照）、第１押し付け部材１２１は、高圧線Ｗを第１溝ｍ１の底面に押圧すると共に、引下線Ｗｅを第２溝ｍ２の底面に押圧できる。なお、第１溝ｍ１の底面とは、第１電線挿通開口１４１の底面と第１リブｒ１の上面を実体としている。又、第２溝ｍ２の底面とは、第２電線挿通開口１４２の底面と第２リブｒ２の上面を実体としている。
【００４８】
図１を参照して、一対の分割ケース１１・１２を閉じると（図４参照）、第２押し付け部材１２２は、高圧線Ｗを第１溝ｍ１の底面に押圧すると共に、引下線Ｗｅを第３溝ｍ３の底面に押圧できる。なお、第１溝ｍ１の底面とは、第３電線挿通開口１５１の底面と第１リブｒ１の上面を実体としている。又、第３溝ｍ３の底面とは、第４電線挿通開口１５２の底面と第３リブｒ３の上面を実体としている。
【００４９】
［高圧引下線支持具の作用］
次に、実施形態による支持具１０の操作方法を説明しながら、支持具１０の作用及び効果を説明する。
【００５０】
最初に、図３又は図４を参照して、先端部に把持工具を有する絶縁操作棒（図示せず）を用いて、把持片１０ｓを把持し、一対の分割ケース１１・１２が開いた状態で、高所に配置された高圧線Ｗ及び引下線Ｗｅに向かって（図７参照）、支持具１０を移動する。
【００５１】
次に、図１又は図３を参照して、一対の分割ケース１１・１２が開いた状態で、高圧線Ｗを第１溝ｍ１に進入させる共に、引下線Ｗｅを第２溝ｍ２に進入させ、引下線Ｗｅを緩衝部材２に当接して、略直角に屈曲させた後に、引下線Ｗｅを切り欠き部１１ｈから引き出しておく。
【００５２】
次に、先端部に把持工具を有する別の絶縁操作棒（図示せず）を用いて、一対の分割ケース１１・１２を閉じることで、高圧線Ｗを真直状態で支持できると共に、引下線Ｗｅを屈曲状態で支持できる。そして、一連の作業を終了する。
【００５３】
図１から図６を参照して、実施形態による支持具１０は、屈曲自在な連結部１３ｈを一端部側に有し、他端部側を開閉自在に構成した一対の分割ケース１１・１２で構成し、一方の分割ケース１１には、一方の側面１４ｆから他方の側面１５ｆに向けて、高圧線Ｗを真直状態で支持する第１溝ｍ１と、一方の側面１４ｆから導入された引下線Ｗｅを略直角に屈曲した状態で支持する第２溝ｍ２と、を設け、絶縁操作棒を用いて、一方の分割ケース１１に対して他方の分割ケース１２を閉じることで、引下線Ｗｅを高圧線Ｗに巻き付けることなく、高圧線Ｗ及び引下線Ｗｅを挟んで保持状態を維持できる。
【００５４】
図１から図６を参照して、実施形態による支持具１０は、他方の側面１５ｆから導入された引下線Ｗｅを略直角に屈曲した状態で支持する第３溝ｍ３を設けており、絶縁操作棒を用いて、一方の分割ケース１１に対して他方の分割ケース１２を閉じることで、引下線Ｗｅを高圧線Ｗに巻き付けることなく、高圧線Ｗ及び引下線Ｗｅを挟んで保持状態を維持できる。
【００５５】
図１から図６を参照して、実施形態による支持具１０は、一方の分割ケース１１の底面から起立し、引下線Ｗｅの屈曲部の内側に当接可能な円筒状の緩衝部材２を更に備えているので、引下線Ｗｅの風による振動を緩衝部材２で吸収できる。
【００５６】
図１から図６を参照して、実施形態による支持具１０は、互いに係止可能なラッチ片１１ｓとロックアーム１２ｒを有している。ロックアーム１２ｒをラッチ片１１ｓに設けた開口１１ｋに挿入することで、分割された一対の分割ケース１１・１２を確実にロックできる。
【００５７】
本発明による高圧引下線支持具は、以下の効果が期待できる。
（１）絶縁操作棒を用いた間接活線での作業が容易になる。
（２）作業効率が向上すると共に安全に作業できる。
（３）高圧引下線の断線事故を減少できる。
（４）作業員の熟練度に左右されることなく、確実に施工できる。
【００５８】
本発明による高圧引下線支持具は、絶縁操作棒を用いた間接活線作業に好適な実施形態を開示したが、絶縁手袋を用いた直接活線作業にも適用できる。本発明による高圧引下線支持具は、間接活線作業が効率化され、作業時間の短縮が期待できる。
【符号の説明】
【００５９】
１０  支持具（高圧引下線支持具）
１１  分割ケース（一方の分割ケース）
１１ｈ  切り欠き部
１２  分割ケース（他方の分割ケース）
１３ｈ  連結部
１４ｆ  側面（一方の側面）
１５ｆ  側面（他方の側面）
１２１  第１押し付け部材
ｋ１  第１内壁
ｋ２  第２内壁
ｍ１  第１溝
ｍ２  第２溝
Ｗ  高圧線（高圧配電線）
Ｗｅ  引下線（高圧引下線）
【図１】
2015082905.tif 000003
【図２】
2015082905.tif 000004
【図３】
2015082905.tif 000005
【図４】
2015082905.tif 000006
【図５】
2015082905.tif 000007
【図６】
2015082905.tif 000008
【図７】
2015082905.tif 000009